(57)【要約】  蓄電装置１８は、直流電圧バス１７に接続されたスイッチ回路２１と、スイッチ回路２１及びＤＣ−ＤＣコンバータ２３の間に接続されたスイッチ回路２２とを有している。ＤＣ−ＤＣコンバータ２３とスイッチ回路２２との間には平滑用キャパシタＣ１が接続されている。スイッチ回路２２は、スイッチ回路２１とＤＣ−ＤＣコンバータとの間に直列に接続されたリレーＲＬ１，ＲＬ２と、そのリレーＲＬ１，ＲＬ２の直列回路に対して並列に接続された突入電流防止回路２２ａとを有している。リレーＲＬ１とリレーＲＬ２との間の接続点Ｎ１には電圧センサ３１が接続され、平滑用キャパシタの両端子間には電圧センサ３２が接続されている。制御部２６は、電圧センサ３１，３２により検出される電圧値Ｖ１，Ｖ２に基づいて、リレーＲＬ１，ＲＬ２の溶着を判定する。
2019077958.tif 000002
【特許請求の範囲】
【請求項１】
直流電源と、
前記直流電源を接続対象に対して接離する第１のスイッチ回路と、
前記第１のスイッチ回路と前記直流電源との間に直列に接続された第１のリレー及び第２のリレーを含む直列回路と、前記直列回路に並列に接続された第１の突入電流防止回路とを含む第２のスイッチ回路と、
前記直流電源と前記第２のスイッチ回路との間に接続された第１のキャパシタと、
前記第１のキャパシタの低電圧側端子と前記第１のリレー及び前記第２のリレーの間の接続点との間の電圧を検出する第１の電圧検出部と、
前記第１のキャパシタの低電位側端子と高電位側端子との間の電圧を検出する第２の電圧検出部と、
前記第１のスイッチ回路及び前記第２のスイッチ回路を制御する制御部と、
を有する、電源装置。
【請求項２】
前記第１の突入電流防止回路は、前記直流電源側の前記第１のリレーの端子と前記第１のスイッチ回路側の前記第２のリレーの端子との間に接続された第１の電流制限抵抗を有する、請求項１に記載の電源装置。
【請求項３】
前記第１の突入電流防止回路は、前記直流電源側の前記第１のリレーの端子と前記第１のスイッチ回路側の前記第２のリレーの端子との間に直列に接続された第１の電流制限抵抗及びリレーを有する、請求項１に記載の電源装置。
【請求項４】
前記直流電源は、
蓄電池と、
前記蓄電池の出力電圧を電圧変換して前記接続対象に向かって出力し、かつ、前記接続対象の出力電圧を電圧変換して前記蓄電池に向かって出力する双方向ＤＣ−ＤＣコンバータと、を有する、請求項１〜３の何れか１項に記載の電源装置。
【請求項５】
前記蓄電池と前記双方向ＤＣ−ＤＣコンバータとの間に接続された第３のリレーと、前記第３のリレーに対して並列に接続された第２の突入電流防止回路とを含む第３のスイッチ回路と、
前記第３のスイッチ回路と前記双方向ＤＣ−ＤＣコンバータとの間に接続された第２のキャパシタと、
を有する、請求項４に記載の電源装置。
【請求項６】
前記第２の突入電流防止回路は、前記第３のリレーの両端子間に直列に接続された第２の電流制限抵抗及び第４のリレーを含む、請求項５に記載の電源装置。
【請求項７】
発電装置から入力される直流電圧を交流電圧に変換して出力する電力制御装置であって、
前記発電装置から入力される直流電圧が供給される直流電圧バスと、
前記直流電圧バスの直流電圧を交流電圧に変換するインバータと、
前記直流電圧バスに接続される電源装置と、
を有し、
前記電源装置は、
直流電源と、
前記直流電源を前記直流電圧バスに対して接離する第１のスイッチ回路と、
前記第１のスイッチ回路と前記直流電源との間に直列に接続された第１のリレー及び第２のリレーを含む直列回路と、前記直列回路に並列に接続された第１の突入電流防止回路とを含む第２のスイッチ回路と、
前記直流電源と前記第２のスイッチ回路との間に接続された第１のキャパシタと、
前記第１のキャパシタの低電圧側端子と前記第１のリレー及び前記第２のリレーの間の接続点との間の電圧を検出する第１の電圧検出部と、
前記第１のキャパシタの低電位側端子と高電位側端子との間の電圧を検出する第２の電圧検出部と、
前記第１のスイッチ回路及び前記第２のスイッチ回路を制御する制御部と、
を有する、電力制御装置。
【請求項８】
前記発電装置は太陽光パネルであり、
前記太陽光パネルに接続され、前記太陽光パネルから出力される第１の直流電圧を第２の直流電圧に変換し、前記第２の直流電圧を前記直流電圧バスに出力する電圧変換回路を含む、請求項７に記載の電力制御装置。
【請求項９】
直流電源と、
前記直流電源を接続対象に対して接離する第１のスイッチ回路と、
前記第１のスイッチ回路と前記直流電源との間に直列に接続された第１のリレー及び第２のリレーを含む直列回路と、前記直列回路に並列に接続された第１の突入電流防止回路とを含む第２のスイッチ回路と、
前記直流電源と前記第２のスイッチ回路との間に接続された第１のキャパシタと、
前記第１のキャパシタの低電圧側端子と前記第１のリレー及び前記第２のリレーの間の接続点との間の電圧を検出する第１の電圧検出部と、
前記第１のキャパシタの低電位側端子と高電位側端子との間の電圧を検出する第２の電圧検出部と、
前記第１のスイッチ回路及び前記第２のスイッチ回路を制御する制御部と、
を有する電源装置のリレー判定方法であって、
前記制御部は、前記第１のリレー及び前記第２のリレーをそれぞれ開閉制御し、前記第１の電圧検出部により検出される第１の電圧値と、前記第２の電圧検出部により検出される第２の電圧値とに基づいて、前記第１のリレーと前記第２のリレーの溶着の有無を判定する、
電源装置のリレー判定方法。
【請求項１０】
前記制御部は、前記第１のリレーを開成してかつ前記第２のリレーを閉成した状態で前記第１の電圧検出部により検出される第１の電圧値と前記第２の電圧検出部により検出される第２の電圧値とを比較した第１の比較結果と、前記第１のリレーを閉成してかつ前記第２のリレーを開成した状態で前記第１の電圧検出部により検出される第１の電圧値と前記第２の電圧検出部により検出される第２の電圧値とを比較した第２の比較結果とに基づいて、前記第１のリレーと前記第２のリレーの溶着の有無を判定する、
請求項９に記載の電源装置のリレー判定方法。
【請求項１１】
前記直流電源は、
蓄電池と、
前記蓄電池の出力電圧を電圧変換して前記接続対象に向かって出力し、かつ、前記接続対象の出力電圧を電圧変換して前記蓄電池に向かって出力する双方向ＤＣ−ＤＣコンバータと、
前記蓄電池と前記双方向ＤＣ−ＤＣコンバータとの間に接続された第３のリレーと、前記第３のリレーに対して並列に接続された第２の突入電流防止回路とを含み、前記第２の突入電流防止回路は、直列接続された第４のリレー及び第２の電流制限抵抗を含み、前記制御部により制御される第３のスイッチ回路と、
前記第３のスイッチ回路と前記双方向ＤＣ−ＤＣコンバータとの間に接続された第２のキャパシタと、
を有し、
前記制御部は、前記第４のリレーを閉成してから所定時間経過後に前記第３のリレーを閉成するとともに前記第４のリレーを開成した状態で前記第１のリレーと前記第２のリレーの溶着判定を行う、
請求項９又は１０に記載の電源装置のリレー判定方法。
【発明の詳細な説明】
【技術分野】
【０００１】
本発明は、電源装置、電力制御装置、電源装置のリレー判定方法に関する。
【背景技術】
【０００２】
従来、蓄電池等の電源から直流電圧を供給する電源装置は、直流電圧の出力を制御するためにリレーを有している。高圧の直流電圧を出力する電源装置は、メインとなるリレーに対して並列に接続された突入電流防止回路を備えている（例えば、特許文献１参照）。突入電流防止回路は、抵抗と、抵抗に直列に接続された電流制限用リレーとを備え、電流制限用リレーを閉成した後、メインのリレーを閉成することで、平滑用に設けられたキャパシタ等に対する突入電流を防止する。
【先行技術文献】
【特許文献】
【０００３】
【特許文献１】特開２０００−１３４７０７号公報
【発明の概要】
【発明が解決しようとする課題】
【０００４】
ところで、機械的に接点を接離するリレーでは、接点溶着等の故障が発生する虞がある。このため、リレーにおける故障の有無を判定することが求められる。
本発明の目的は、リレーにおける故障の有無を判定可能とすることにある。
【課題を解決するための手段】
【０００５】
本開示の一態様である電源装置は、直流電源と第１のスイッチ回路と第２のスイッチ回路と第１のキャパシタと第１の電圧検出部と第２の電圧検出部と制御部とを備え、前記第１のスイッチ回路は、前記直流電源を接続対象に対して接離し、前記第２のスイッチ回路は、前記第１のスイッチ回路と前記直流電源との間に直列に接続された第１のリレー及び第２のリレーを含む直列回路と、前記直列回路に並列に接続された第１の突入電流防止回路とを含み、前記第１のキャパシタは、前記直流電源と前記第２のスイッチ回路との間に接続され、前記第１の電圧検出部は、前記第１のキャパシタの低電圧側端子と前記第１のリレー及び前記第２のリレーの間の接続点との間の電圧を検出し、前記第２の電圧検出部は、前記第１のキャパシタの低電位側端子と高電位側端子との間の電圧を検出し、前記制御部は、前記第１のスイッチ回路及び前記第２のスイッチ回路を制御する。【０００６】
この構成によれば、直流電源と第１のスイッチ回路との間に接続された第２のスイッチ回路は、第１のリレーと第２のリレーの直列回路を含む。第１のリレーと第２のリレーとが同時に溶着することは極めてまれであるため、リレーを１つとしたものと比べ、直流電源と第１のスイッチ回路との間が継続的に接続されることを抑制できる。そして、第１のリレーと第２のリレーとの間の接続点に接続された第１の電圧検出部による第１の電圧値と、第１のキャパシタの両端子間に接続された第２の電圧検出部による第２の電圧値とに基づいて、第１のリレーと第２のリレーのそれぞれの溶着を判定できる。【０００７】
上記の電源装置において、前記第１の突入電流防止回路は、前記直流電源側の前記第１のリレーの端子と前記第１のスイッチ回路側の前記第２のリレーの端子との間に接続された電流制限抵抗を有することが好ましい。【０００８】
この構成によれば、電流制限抵抗により、第１のキャパシタに対する突入電流を防止できる。そして、電流制限抵抗のみを設けることにより、電源装置のコスト上昇が抑制される。【０００９】
上記の電源装置において、前記第１の突入電流防止回路は、前記直流電源側の前記第１のリレーの端子と前記第１のスイッチ回路側の前記第２のリレーの端子との間に直列に接続された第１の電流制限抵抗及びリレーを有することが好ましい。【００１０】
この構成によれば、第１の電流制限抵抗により、第１のキャパシタに対する突入電流を防止できる。そして、リレーをオフすることにより、第１の電流制限抵抗に電流が流れなくすることができる。【００１１】
上記の電源装置において、前記直流電源は、蓄電池と、前記蓄電池の出力電圧を電圧変換して前記接続対象に向かって出力し、前記接続対象の出力電圧を電圧変換して前記蓄電池に向かって出力する双方向ＤＣ（direct current）−ＤＣコンバータと、を有することが好ましい。【００１２】
この構成によれば、蓄電池からの放電電力を接続対象に供給できる。また、接続対象における直流電圧に基づいて蓄電池を充電できる。
好ましくは、上記の電源装置は第３のスイッチ回路と第２のキャパシタとを更に備える。前記第３のスイッチ回路は、前記蓄電池と前記双方向ＤＣ−ＤＣコンバータとの間に接続された第３のリレーと、前記第３のリレーに対して並列に接続された第２の突入電流防止回路とを含むことが好ましく、前記第２のキャパシタは、前記第３のスイッチ回路と前記双方向ＤＣ−ＤＣコンバータとの間に接続されることが好ましい。【００１３】
この構成によれば、蓄電池を双方向ＤＣ−ＤＣコンバータに対して接離できる。そして、第２の突入電流防止回路により、蓄電池を接続したときの第２のキャパシタに対する突入電流を防止できる。【００１４】
上記の電源装置において、前記第２の突入電流防止回路は、前記第３のリレーの両端子間に直列に接続された電流制限抵抗及び第４のリレーを含むことが好ましい。
この構成によれば、電流制限抵抗により蓄電池からの放電電流を制限することで、突入電流を防止できる。第４のリレーをオフすることにより、第２の電流制限抵抗に電流が流れなくすることができる。【００１５】
本開示の一態様である電力制御装置は、発電装置から入力される直流電圧を交流電圧に変換して出力する電力制御装置であって、前記発電装置から入力される直流電圧が供給される直流電圧バスと、前記直流電圧バスの直流電圧を交流電圧に変換するインバータと、前記直流電圧バスに接続される電源装置と、を有し、前記電源装置は、直流電源と第１のスイッチ回路と第２のスイッチ回路と第１のキャパシタと第１の電圧検出部と第２の電圧検出部と制御部とを備え、前記第１のスイッチ回路は、前記直流電源を前記直流電圧バスに対して接離し、前記第２のスイッチ回路は、前記第１のスイッチ回路と前記直流電源との間に直列に接続された第１のリレー及び第２のリレーを含む直列回路と、前記直列回路に並列に接続された第１の突入電流防止回路とを含み、前記第１のキャパシタは、前記直流電源と前記第２のスイッチ回路との間に接続され、前記第１の電圧検出部は、前記第１のキャパシタの低電圧側端子と前記第１のリレー及び前記第２のリレーの間の接続点との間の電圧を検出し、第２の電圧検出部は、前記第１のキャパシタの低電位側端子と高電位側端子との間の電圧を検出し、前記制御部は、前記第１のスイッチ回路及び前記第２のスイッチ回路を制御する。【００１６】
この構成によれば、直流電源と第１のスイッチ回路との間に接続された第２のスイッチ回路は、第１のリレーと第２のリレーの直列回路を含む。第１のリレーと第２のリレーとが同時に溶着することは極めてまれであるため、リレーを１つとしたものと比べ、直流電源と第１のスイッチ回路との間が継続的に接続されることを抑制できる。そして、第１のリレーと第２のリレーとの間の接続点に接続された第１の電圧検出部による第１の電圧値と、第１のキャパシタの両端子間に接続された第２の電圧検出部による第２の電圧値とに基づいて、第１のリレーと第２のリレーのそれぞれの溶着を判定できる。【００１７】
好ましくは、上記の電力制御装置は電圧変換回路を更に備え、前記発電装置は太陽光パネルである。前記電圧変換回路は、前記太陽光パネルに接続され、前記太陽光パネルから出力される第１の直流電圧を第２の直流電圧に変換し、前記第２の直流電圧を前記直流電圧バスに出力することが好ましい。【００１８】
この構成によれば、太陽光パネルにより発電された直流電圧を交流電圧に変換して出力する装置の直流電圧バスに対して電源装置を接離できる。
本開示の一態様であるリレー判定方法は、直流電源と第１のスイッチ回路と第２のスイッチ回路と第１のキャパシタと第１の電圧検出部と第２の電圧検出部と制御部とを備える電源装置のリレー判定方法であって、前記第１のスイッチ回路は、前記直流電源を接続対象に対して接離し、前記第２のスイッチ回路は、前記第１のスイッチ回路と前記直流電源との間に直列に接続された第１のリレー及び第２のリレーを含む直列回路と、前記直列回路に並列に接続された第１の突入電流防止回路とを含み、前記第１のキャパシタは、前記直流電源と前記第２のスイッチ回路との間に接続され、前記第１の電圧検出部は、前記第１のキャパシタの低電圧側端子と前記第１のリレー及び前記第２のリレーの間の接続点との間の電圧を検出し、前記第２の電圧検出部は、前記第１のキャパシタの低電位側端子と高電位側端子との間の電圧を検出し、前記制御部は、前記第１のスイッチ回路及び前記第２のスイッチ回路を制御する。前記制御部は、前記第１のリレー及び前記第２のリレーをそれぞれ開閉制御し、前記第１の電圧検出部により検出される第１の電圧値と、前記第２の電圧検出部により検出される第２の電圧値とに基づいて、前記第１のリレーと前記第２のリレーの溶着の有無を判定する。【００１９】
この構成によれば、第１のリレーと第２のリレーとの間の接続点に接続された第１の電圧検出部による第１の電圧値と、第１のキャパシタの両端子間に接続された第２の電圧検出部による第２の電圧値とに基づいて、第１のリレーと第２のリレーの溶着を判定できる。【００２０】
上記の電源装置のリレー判定方法において、前記制御部は、前記第１のリレーを開成してかつ前記第２のリレーを閉成した状態で前記第１の電圧検出部により検出される第１の電圧値と前記第２の電圧検出部により検出される第２の電圧値とを比較した第１の比較結果と、前記第１のリレーを閉成してかつ前記第２のリレーを開成した状態で前記第１の電圧検出部により検出される第１の電圧値と前記第２の電圧検出部により検出される第２の電圧値とを比較した第２の比較結果とに基づいて、前記第１のリレーと前記第２のリレーの溶着の有無を判定することが好ましい。【００２１】
この構成によれば、第１の電圧値と第２の電圧値との比較結果に基づいて、第１のリレーと第２のリレーの何れが溶着しているかを判定できる。
上記の電源装置のリレー判定方法において、好ましくは、前記直流電源は、蓄電池と双方向ＤＣ−ＤＣコンバータと第３のスイッチ回路と第２のキャパシタと備え、前記双方向ＤＣ−ＤＣコンバータは、前記蓄電池の出力電圧を電圧変換して前記接続対象に向かって出力し、かつ、前記接続対象の出力電圧を電圧変換して前記蓄電池に向かって出力し、前記第３のスイッチ回路は、前記蓄電池と前記双方向ＤＣ−ＤＣコンバータとの間に接続された第３のリレーと、前記第３のリレーに対して並列に接続された第２の突入電流防止回路とを含み、前記第２の突入電流防止回路は、直列接続された第４のリレー及び第２の電流制限抵抗を含み、前記第３のスイッチ回路は前記制御部により制御され、前記第２のキャパシタは、前記第３のスイッチ回路と前記双方向ＤＣ−ＤＣコンバータとの間に接続される。前記制御部は、前記第４のリレーを閉成してから所定時間経過後に前記第３のリレーを閉成するとともに前記第４のリレーを開成した状態で前記第１のリレーと前記第２のリレーの溶着判定を行うことが好ましい。【００２２】
この構成によれば、蓄電池からの放電電力を接続対象に供給できる。また、接続対象における直流電圧に基づいて蓄電池を充電できる。蓄電池を双方向ＤＣ−ＤＣコンバータに対して接離できる。そして、第２の突入電流防止回路により、蓄電池を接続したときの第２のキャパシタに対する突入電流を防止できる。そして、蓄電池により第１のキャパシタを充電し、その充電電圧により第１のリレーと第２のリレーの溶着を判定できる。
【発明の効果】
【００２３】
本発明の電源装置、電力制御装置、電源装置のリレー判定方法によれば、リレーにおける故障の有無を判定することができる。
【図面の簡単な説明】
【００２４】
【図１】太陽光発電システムを示すブロック回路図。
【図２】直流電源装置の回路図。
【図３】故障判定処理のフローチャート。
【図４】故障判定処理のフローチャート。
【図５】故障判定処理のフローチャート。
【図６】故障判定処理のフローチャート。
【図７】変形例の直流電源装置の回路図。
【図８】変形例の太陽光発電システムを示すブロック回路図。
【図９】変形例の太陽光発電システムを示すブロック回路図。
【発明を実施するための形態】
【００２５】
以下、実施形態を説明する。
なお、添付図面は、理解を容易にするために構成要素を拡大して示している場合がある。構成要素の寸法比率は実際のものと、または別の図面中のものと異なる場合がある。また、断面図では、理解を容易にするために、一部の構成要素のハッチングを省略している場合がある。
【００２６】
図１に示すように、電源システムとしてのパワーコンディショナ１は、太陽光パネル２に接続される。また、パワーコンディショナ１は、電力線３を介して交流負荷４に接続される。
【００２７】
交流負荷４は、例えば分電盤に接続された屋内負荷である。屋内負荷としては、例えば、照明、冷蔵庫、洗濯機、空気調和機、電子レンジ等の一般家屋の電気機器が挙げられる。なお、交流負荷４は、商業施設や工場内の電気機器としてもよい。パワーコンディショナ１は、太陽光パネル２にて発電した直流電力を交流電力に変換して出力する。その交流電力は、交流負荷４に供給される。
【００２８】
例えば、パワーコンディショナ１は、電力線３を介して商用電力系統５に接続される。商用電力系統５は、電力会社が電力を伝送する配電系統である。パワーコンディショナ１は、太陽光パネル２と商用電力系統５とを連系又は解列することができる。
【００２９】
パワーコンディショナ１は、ＰＶ（photovoltaic）コンバータ１１、インバータ１２、フィルタ１３、リレー１４、ＤＣ−ＤＣコンバータ１５、制御部１６を有している。ＰＶコンバータ１１とインバータ１２とＤＣ−ＤＣコンバータ１５は、直流電圧バス（ＨＶＤＣ（high voltage direct current）バス）１７を介して互いに接続されている。
【００３０】
ＰＶコンバータ１１は、パワー半導体素子とリアクトルとを含む昇圧チョッパ回路である。ＰＶコンバータ１１は、制御部１６からの制御信号によって動作し、太陽光パネル２から入力される直流電圧を昇圧して直流電圧バス１７に出力する。
【００３１】
ＤＣ−ＤＣコンバータ１５は、例えば降圧回路であり、直流電圧バス１７の直流電圧を、制御部１６の動作に適した直流電圧に変換する。制御部１６は、ＤＣ−ＤＣコンバータ１５から供給される直流電圧に基づいて動作し、ＰＶコンバータ１１、インバータ１２、リレー１４を制御する。
【００３２】
インバータ１２は、直列に接続された一対のパワー半導体素子からなる少なくとも1つのブリッジ回路とリアクトルとを含む直流交流変換回路である。インバータ１２は、制御部１６からの制御信号によって動作し、ＰＶコンバータ１１の出力電圧を交流電圧に変換する。フィルタ１３は、インバータ１２から出力される交流電力の高周波成分を低減する。
【００３３】
系統連系のためのリレー１４は、例えば常開型の電磁継電器である。制御部１６は制御信号によってリレー１４の閉状態と開状態とを制御する。リレー１４の閉動作により、太陽光パネル２の出力電圧に基づいて生成した交流電圧を交流負荷４に供給する。また、電力線３が商用電力系統５に接続されている場合、リレー１４の閉動作・開動作により、太陽光パネル２と商用電力系統５とを連系・解列する。
【００３４】
また、パワーコンディショナ１の直流電圧バス１７には、蓄電装置１８が接続される。蓄電装置１８は、例えば図示しないコネクタにより直流電圧バス１７に対して着脱可能である。なお、蓄電装置１８は、直流電圧バス１７に直接接続される、つまり着脱不能であってもよい。
【００３５】
蓄電装置１８は、直流電圧変換回路（ＤＣ−ＤＣコンバータ）２３と蓄電池２５とを有している。蓄電池２５は、充放電可能とされた電池である。この蓄電池２５としては、例えばリチウムイオン電池を用いることができる。ＤＣ−ＤＣコンバータ２３は、双方向の直流電圧変換回路である。ＤＣ−ＤＣコンバータ２３は、直流電圧バス１７の直流電力を、蓄電池２５に充電する直流電力に変換する。また、ＤＣ−ＤＣコンバータ２３は、蓄電池２５から放電される直流電力を、直流電圧バス１７に応じた電圧の直流電力に変換する。
【００３６】
本実施形態において、太陽光パネル２で発電されているとき、パワーコンディショナ１の直流電圧バス１７の電圧値は例えば３６０ボルト（Ｖ）である。充電状態にある蓄電池２５は、例えば３００Ｖの直流電圧を出力する。
【００３７】
なお、図１に示す直流電圧バス１７の直流電力は、商用電力系統５の交流電力によるものでもよい。図１に示すインバータ１２を双方向インバータとすることにより、商用電力系統５の交流電力を直流電力に変換して直流電圧バス１７に供給する。その直流電圧バス１７の直流電力を、図２に示すＤＣ−ＤＣコンバータ２３により降圧して蓄電池２５に供給する。
【００３８】
蓄電装置１８の構成例を説明する。
図２に示すように、蓄電装置１８は、蓄電池２５、スイッチ回路２１，２２，２４、ＤＣ−ＤＣコンバータ２３、平滑用キャパシタＣ１，Ｃ２、制御部２６を含む。
【００３９】
先ず、蓄電装置１８の概略構成を説明する。
直流電圧バス１７は、スイッチ回路２１，２２、ＤＣ−ＤＣコンバータ２３、スイッチ回路２４を介して蓄電池２５に接続される。直流電圧バス１７は、高電位側電線１７ａと低電位側電線１７ｂとを有している。スイッチ回路２１は、直流電圧バス１７の高電位側電線１７ａに接続されたリレーＲＬｈａと、低電位側電線１７ｂとに接続されたリレーＲＬｈｂとを有している。リレーＲＬｈａ，ＲＬｈｂは、例えば常開型の電磁継電器であり、制御部２６の制御信号により開閉する。
【００４０】
スイッチ回路２２とＤＣ−ＤＣコンバータ２３との間には平滑用キャパシタＣ１が接続されている。詳しくは、平滑用キャパシタＣ１は、ＤＣ−ＤＣコンバータ２３の直流電圧バス１７の側の両端子（高電位側端子、低電位側端子）の間に接続されている。平滑用キャパシタＣ１は、例えばアルミ電解コンデンサやタンタル電解コンデンサが用いられる。スイッチ回路２２は、スイッチ回路２１のリレーＲＬｈａとＤＣ−ＤＣコンバータ２３の高電位側端子との間に接続されている。
【００４１】
ＤＣ−ＤＣコンバータ２３は、スイッチ回路２４を介して蓄電池２５に接続されている。ＤＣ−ＤＣコンバータ２３は、スイッチ回路２４を介して蓄電池２５のプラス側端子に接続された端子（高電位側端子）と、蓄電池のマイナス側端子に接続された端子（低電位側端子）とを有している。つまり、スイッチ回路２４は、蓄電池２５のプラス側端子とＤＣ−ＤＣコンバータ２３の高電位側端子との間に接続されている。
【００４２】
ＤＣ−ＤＣコンバータ２３とスイッチ回路２４との間には平滑用キャパシタＣ２が接続されている。詳しくは、平滑用キャパシタＣ２は、ＤＣ−ＤＣコンバータ２３の蓄電池２５の側の両端子（高電位側端子、低電位側端子）の間に接続されている。平滑用キャパシタＣ２は、例えばアルミ電解コンデンサやタンタル電解コンデンサが用いられる。
【００４３】
スイッチ回路２２は、直列接続されたリレーＲＬ１，ＲＬ２を含む。リレーＲＬ１，ＲＬ２は、例えば常開型の電磁継電器である。つまり、スイッチ回路２１とＤＣ−ＤＣコンバータ２３との間に２つのリレーＲＬ１，ＲＬ２が介在されている。リレーＲＬ１，ＲＬ２は、制御部２６の制御信号により開閉する。スイッチ回路２２は、そのリレーＲＬ１，ＲＬ２に対して並列に接続された突入電流防止回路２２ａを含む。本実施形態において、突入電流防止回路２２ａは、リレーＲＬ１，ＲＬ２の直列回路に対して並列に接続された電流制限抵抗Ｒ１を含む。
【００４４】
ＤＣ−ＤＣコンバータ２３は、インダクタＬ１とトランジスタＴ１，Ｔ２を含む。トランジスタＴ１，Ｔ２は、例えばＮチャネルＭＯＳＦＥＴ（Metal-Oxide-Semiconductor Field-Effect Transistor)である。トランジスタＴ１，Ｔ２のゲート端子は制御部２６に接続されている。トランジスタＴ１，Ｔ２は、制御部２６から出力される制御信号に応答してオンオフする。制御部２６は、例えばパルス幅変調（ＰＷＭ：Pulse Width Modulation）制御によりトランジスタＴ１，Ｔ２をオンオフ制御し、ＤＣ−ＤＣコンバータ２３に昇圧動作又は降圧動作させる。なお、トランジスタＴ１，Ｔ２を絶縁ゲートバイポーラトランジスタ（ＩＧＢＴ：Insulated Gate Bipolar Transistor）等としてもよい。
【００４５】
ＤＣ−ＤＣコンバータ２３は、蓄電池２５の直流電圧を昇圧して出力する。ＤＣ−ＤＣコンバータ２３の出力電圧は、スイッチ回路２２，２１を介して直流電圧バス１７に供給される。また、ＤＣ−ＤＣコンバータ２３は、直流電圧バス１７からスイッチ回路２１，２２を介して供給される直流電圧を降圧して出力する。ＤＣ−ＤＣコンバータ２３の出力電圧は、スイッチ回路２４を介して蓄電池２５に充電電圧として供給される。
【００４６】
スイッチ回路２４は、蓄電池２５とＤＣ−ＤＣコンバータ２３との間に接続されたリレーＲＬ３と、そのリレーＲＬ３に並列接続された突入電流防止回路２４ａとを含む。リレーＲＬ３は、蓄電池２５のプラス側端子とＤＣ−ＤＣコンバータ２３との間に接続されている。リレーＲＬ３は、例えば常開型の電磁継電器であり、制御部２６の制御信号により開閉する。閉成（導通状態）したリレーＲＬ３は、蓄電池２５をＤＣ−ＤＣコンバータ２３に接続する。
【００４７】
突入電流防止回路２４ａは、直列接続されたリレーＲＬ４と電流制限抵抗Ｒ２とを含む。リレーＲＬ４は、例えば常開型の電磁継電器であり、制御部２６の制御信号により開閉する。リレーＲＬ４の閉成により、蓄電池２５の放電電流が電流制限抵抗Ｒ２により制限される。この突入電流防止回路２４ａは、リレーＲＬ３の閉成時における突入電流を防止する。
【００４８】
蓄電装置１８は、電圧センサ３１，３２と電流センサ３５を含む。
電流センサ３５は、ＤＣ−ＤＣコンバータ２３とスイッチ回路２２との間に設けられている。電流センサ３５は、ＤＣ−ＤＣコンバータ２３とスイッチ回路２２との間に流れる電流を検出し、その電流値Ｉ１を出力する。
【００４９】
電圧センサ３１は、スイッチ回路２２のリレーＲＬ１とリレーＲＬ２との接続点Ｎ１と、蓄電池２５のマイナス側端子との間に設けられている。電圧センサ３１は、接続点Ｎ１と蓄電池２５のマイナス側端子との間の電圧を検出し、その電圧値Ｖ１を出力する。
【００５０】
電圧センサ３２は、平滑用キャパシタＣ２の両端子間、つまり高圧側端子と低圧側端子との間に設けられている。電圧センサ３２は、平滑用キャパシタＣ２の両端子間電圧を検出し、その電圧値Ｖ２を出力する。
【００５１】
また、蓄電装置１８は、電圧センサ３３，３４と電流センサ３６を含む。
電圧センサ３４は、蓄電池２５のプラス側端子とマイナス側端子の間に設けられている。電圧センサ３４は、蓄電池２５の端子間電圧を検出し、その電圧値Ｖ４を出力する。
【００５２】
電圧センサ３３は、平滑用キャパシタＣ１と並列に設けられている。電圧センサ３３は、平滑用キャパシタＣ１の両端子間電圧を検出し、その電圧値Ｖ３を出力する。
電流センサ３６は、スイッチ回路２４とＤＣ−ＤＣコンバータ２３との間に設けられている。電流センサ３６は、スイッチ回路２４とＤＣ−ＤＣコンバータ２３との間に流れる電流を検出し、その電流値Ｉ２を出力する。
【００５３】
制御部２６は、例えば、図１に示すＤＣ−ＤＣコンバータ２３の出力電圧が駆動電圧として供給される。そして、制御部２６は、例えば、蓄電装置１８に設けられる起動スイッチの操作に基づいて起動し、予め設定されたプログラムに基づいて動作する。
【００５４】
起動した制御部２６は、スイッチ回路２１，２２，２４の各リレーを制御し、蓄電池２５と直流電圧バス１７と連系・解列する。
制御部２６は、スイッチ回路２４において、平滑用キャパシタＣ２に突入電流が流れないように、リレーＲＬ３，ＲＬ４を開閉制御する。
【００５５】
制御部２６は、先ずリレーＲＬ４を閉成（閉路：オン）する。蓄電池２５の放電電流は、電流制限抵抗Ｒ２により制限されて平滑用キャパシタＣ２に供給され、平滑用キャパシタＣ２が充電される。その後、制御部２６は、リレーＲＬ３を閉成し、リレーＲＬ４を開成する。例えば、制御部２６は、リレーＲＬ４を閉成した後、所定時間経過すると、リレーＲＬ３を閉成し、リレーＲＬ４を開成する。所定時間は、平滑用キャパシタＣ２の容量値と電流制限抵抗Ｒ２により制限された電流値に応じて、平滑用キャパシタＣ２の充電電圧と蓄電池２５の出力電圧との差を小さくするように設定される。これにより、平滑用キャパシタＣ２やＤＣ−ＤＣコンバータ２３に対して大きな突入電流は流れない。なお、電圧センサ３３により検出される電圧値Ｖ３に基づいて、リレーＲＬ３，ＲＬ４を制御するようにしてもよい。
【００５６】
制御部２６は、所定電圧（例えば、３６０Ｖ）の直流電圧バス１７に対して、蓄電装置１８を接続する場合、スイッチ回路２１，２２において、平滑用キャパシタＣ１に突入電流が流れないように、それらに含まれるリレーを開閉制御する。
【００５７】
制御部２６は、スイッチ回路２２のリレーＲＬ１，ＲＬ２を開成した状態において、スイッチ回路２１のリレーＲＬｈａ，ＲＬｈｂを閉成する。直流電圧バス１７から電流がリレーＲＬｈａとスイッチ回路２２の突入電流防止回路２２ａ（電流制限抵抗Ｒ１）を介して平滑用キャパシタＣ１に供給され、平滑用キャパシタＣ１が充電される。その後、制御部２６は、スイッチ回路２２のリレーＲＬ１，ＲＬ２を閉成する。例えば、制御部２６は、リレーＲＬｈａ，ＲＬｈｂを閉成した後、所定時間経過すると、リレーＲＬ１，ＲＬ２を閉成する。所定時間は、平滑用キャパシタＣ１の容量値と電流制限抵抗Ｒ１により制限された電流値に応じて、平滑用キャパシタＣ１の充電電圧と直流電圧バス１７の電圧との差を小さくするように設定される。これにより、平滑用キャパシタＣ１の端子電圧と直流電圧バス１７の電圧値との差電圧が小さいため、平滑用キャパシタＣ１やＤＣ−ＤＣコンバータ２３に対して大きな突入電流は流れない。なお、電圧センサ３２により検出される電圧値Ｖ２に基づいて、リレーＲＬ１，ＲＬ２を制御するようにしてもよい。
【００５８】
制御部２６は、直流電圧バス１７の直流電力、例えば図１に示す太陽光パネル２の発電電力により蓄電池２５を充電する。制御部２６は、電圧値Ｖ３を蓄電池２５の充電に必要な電圧値とするように、ＤＣ−ＤＣコンバータ２３を降圧動作させ、蓄電池２５を充電する。
【００５９】
また、制御部２６は、蓄電池２５の放電電力を、直流電圧バス１７に供給する。例えば、図１に示す太陽光パネル２が発電していないとき、制御部２６は、電圧値Ｖ２を直流電圧バス１７に必要な電圧値とするように、ＤＣ−ＤＣコンバータ２３を昇圧動作させ、蓄電池２５の放電電力に基づく直流電力を、直流電圧バス１７に供給する。
【００６０】
制御部２６は、その起動時に、起動処理を実行する。起動処理において、制御部２６は、蓄電装置１８に含まれるリレーの故障の有無を判定する。電磁開閉式のリレーにおける故障は、閉路（ＯＮ）のまま開成しない接点溶着（ＯＮのまま溶着）と、開路（ＯＦＦ）のまま閉成しない故障（ＯＦＦのまま溶着）を含む。故障判定の処理は、蓄電池連系用のスイッチ回路２４に含まれるリレーＲＬ３，ＲＬ４の故障の有無を判定する処理と、連系保護用のスイッチ回路２２に含まれるリレーＲＬ１，ＲＬ２の故障の有無を判定する処理を含む。なお、以下の説明において、上述の故障をまとめて溶着として説明することがある。
【００６１】
図３に示すように、制御部２６は、ステップＳ４１において、スイッチ回路２４に含まれるリレーＲＬ３，ＲＬ４の溶着を判定する。例えば、制御部２６は、図２に示す電圧センサ３３，３４により検出される電圧値Ｖ３，Ｖ４に基づいて、リレーＲＬ３，ＲＬ４の溶着を判定する。
【００６２】
次に、制御部２６は、ステップＳ４２において、スイッチ回路２２に含まれるリレーＲＬ１，ＲＬ２の溶着を判定する。例えば、制御部２６は、図２に示す電圧センサ３１，３２により検出される電圧値Ｖ１，Ｖ２に基づいて、リレーＲＬ１，ＲＬ２の溶着を判定する。
【００６３】
なお、判定処理を開始するにあたって、制御部２６は、各リレーを開成するように制御信号を出力している。なお、以下の説明において、各リレーについて、閉成するように制御することを「ＯＮする」とし、開成するように制御することを「ＯＦＦする」とする。
【００６４】
ステップＳ４１における処理を説明する。
制御部２６は、先ず、電圧センサ３３により検出される電圧値Ｖ３が「０Ｖ」か否かを判定する。リレーＲＬ３，ＲＬ４の少なくとも一方が溶着しているとき、溶着しているリレーを介して蓄電池２５の放電電流によって平滑用キャパシタＣ２が充電される。従って、電圧値Ｖ３が「０Ｖ」のとき、リレーＲＬ３，ＲＬ４が端子溶着していないと判定され、「０Ｖ」ではないとき、リレーＲＬ３，ＲＬ４の少なくとも一方が端子溶着であると判定される。電圧値Ｖ３が「０Ｖ」のとき、リレーＲＬ４をＯＮする。このとき、電圧値Ｖ３が上昇すれば、リレーＲＬ４は正常に動作すると判定される。
【００６５】
電圧値Ｖ３が所定電圧となったとき、リレーＲＬ３をＯＮし、リレーＲＬ４をＯＦＦする。電圧値Ｖ３が上昇すればリレーＲＬ３が正常に動作すると判定され、電圧値Ｖ３が変化しなければリレーＲＬ３が異常でオフしないと判定される。両リレーＲＬ３，ＲＬ４に溶着が生じていないと判定されると、スイッチ回路２４，２２に対する溶着判定の処理を終了する。
【００６６】
ステップＳ４２における処理を説明する。
図４〜図６は、スイッチ回路２２のリレーＲＬ１，ＲＬ２に対する溶着判定処理を示す。
【００６７】
ステップＳ５１において、制御部２６は、図２に示すスイッチ回路２２のリレーＲＬ４をＯＮする。すると、ＯＮしたリレーＲＬ４を介して蓄電池２５の放電電流が、リレーＲＬ４を介して平滑用キャパシタＣ２に供給されるとともに、インダクタＬ１とトランジスタＴ２（ボディダイオード）を介して平滑用キャパシタＣ１に供給される。平滑用キャパシタＣ２，Ｃ１は、供給される電流により充電される。
【００６８】
ステップＳ５２において、制御部２６は、所定時間経過したか否かを判定する。所定時間経過していない場合（ＮＯ）、ステップＳ５２に移行する。つまり、所定時間経過するまで、ステップＳ５２を繰り返し実行する。所定時間は、平滑用キャパシタＣ２，Ｃ１の容量値とそれらに供給する電流量に応じて設定される。
【００６９】
所定時間経過する（ＹＥＳ）と、ステップＳ５３において、制御部２６は、リレーＲＬ３をＯＮした後、リレーＲＬ４をＯＦＦする。
ステップＳ５４において、制御部２６は、電圧センサ３２による電圧値Ｖ２が蓄電池２５の端子間電圧Ｖｂａｔと等しい（Ｖ２＝Ｖｂａｔ）か否かを判定する。等しくない場合（ＮＯ）はステップＳ５４に移行し、等しい場合（ＹＥＳ）は次のステップＳ５５に移行する。これにより、平滑用キャパシタＣ１の電極間電圧は、供給される電流により、蓄電池２５の端子間電圧Ｖｂａｔと等しい電圧となる。
【００７０】
ステップＳ５５において、制御部２６は、リレーＲＬ１をＯＦＦし、リレーＲＬ２をＯＦＦする。
ステップＳ５６において、制御部２６は、電圧センサ３１による電圧値Ｖ１が０と等しい（Ｖ１＝０）か否かを判定する。電圧値Ｖ１が０ではない場合（ＮＯ）、図５に示すステップＳ７１に移行する。電圧値Ｖ１が０ではない場合、リレーＲＬ１，ＲＬ２の少なくとも一方が溶着している。
【００７１】
図５に示すステップＳ７１において、制御部２６は、電圧センサ３１による電圧値Ｖ１が電圧センサ３２による電圧値Ｖ２より低い（０＜Ｖ１＜Ｖ２）か否かを判定する。電圧値Ｖ１が電圧値Ｖ２と等しい場合（ＮＯ）、ステップＳ７２において、リレーＲＬ２をＯＮのまま溶着していると判定される。このとき、リレーＲＬ１については不明である。
【００７２】
次に、ステップＳ７３において、制御部２６は、リレーＲＬ１をＯＦＦし、リレーＲＬ２をＯＮする。
ステップＳ７４において、制御部２６は、電圧値Ｖ１と電圧値Ｖ２とが等しい（Ｖ１＝Ｖ２）か否かを判定する。電圧値Ｖ１と電圧値Ｖ２とが等しい場合（ＹＥＳ）、ステップＳ７５においてリレーＲＬ１をＯＮのまま溶着していると判定し、リレーＲＬ２を正常と判定する。
【００７３】
ステップＳ７４において、電圧値Ｖ１と電圧値Ｖ２とが等しくない場合（ＮＯ）、ステップＳ７６においてリレーＲＬ１をＯＮのまま溶着していると判定し、リレーＲＬ２をＯＦＦのまま溶着していると判定する。なお、ＯＦＦのまま溶着しているとは、接点がＯＦＦからＯＮへと作動しないＯＦＦ故障、又は抵抗が大きい状態で溶着している状態を示す。
【００７４】
図４に示すステップＳ５６において、電圧値Ｖ１が０の場合（ＹＥＳ）、ステップＳ５７に移行する。ステップＳ５７において、制御部２６は、リレーＲＬ１をＯＦＦし、リレーＲＬ２をＯＮする。
【００７５】
ステップＳ５８において、制御部２６は、電圧値Ｖ１と電圧値Ｖ２とが等しい（Ｖ１＝Ｖ２）か否かを判定する。電圧値Ｖ１と電圧値Ｖ２とが等しくない場合（ＮＯ）、図６に示すステップＳ８１に移行する。
【００７６】
図６に示すステップＳ８１において、制御部２６は、リレーＲＬ１をＯＮし、リレーＲＬ２をＯＦＦする。
ステップＳ８２において、制御部２６は、電圧値Ｖ１が電圧値Ｖ２より低い（０＜Ｖ１＜Ｖ２）か否かを判定する。電圧値Ｖ１が電圧値Ｖ２より低くない場合（ＮＯ）、制御部２６は、ステップＳ８３において、リレーＲＬ１をＯＦＦのまま溶着していると判定し、リレーＲＬ２をＯＦＦのまま溶着していると判定する。一方、ステップＳ８２において、電圧値Ｖ１が電圧値Ｖ２より低い場合（ＹＥＳ）、制御部２６は、ステップＳ８４において、リレーＲＬ１を正常と判定し、リレーＲＬ２をＯＦＦのまま溶着していると判定する。
【００７７】
図４に示すステップＳ５８において、電圧値Ｖ１と電圧値Ｖ２とが等しい場合（ＹＥＳ）、ステップＳ５９に移行する。ステップＳ５９において、制御部２６は、リレーＲＬ１をＯＮし、リレーＲＬ２をＯＦＦする。
【００７８】
ステップＳ６０において、制御部２６は、電圧値Ｖ１が電圧値Ｖ２より低い（０＜Ｖ１＜Ｖ２）か否かを判定する。電圧値Ｖ１が電圧値Ｖ２より低くない場合（ＮＯ）、ステップＳ９１において、リレーＲＬ１をＯＦＦのまま溶着していると判定し、リレーＲＬ２を正常と判定する。
【００７９】
ステップＳ６０において、電圧値Ｖ１が電圧値Ｖ２より低い場合（ＹＥＳ）、リレーＲＬ１とリレーＲＬ２は正常であると判定する。
そして、図２に示す蓄電装置１８を直流電圧バス１７に接続する処理を実行する。先ず、制御部２６は、ステップＳ６１において、リレーＲＬ１をＯＦＦし、リレーＲＬ２をＯＦＦする。
【００８０】
ステップＳ６２において、制御部２６は、図２に示すスイッチ回路２１のリレーＲＬｈａ，ＲＬｈｂをＯＮする。ＯＮしたリレーＲＬｈａ，ＲＬｈｂを介して直流電圧バス１７から電流が供給される。その電流は、突入電流防止回路２２ａの電流制限抵抗Ｒ１を介して平滑用キャパシタＣ１に供給され、平滑用キャパシタＣ１を充電する。
【００８１】
ステップＳ６３において、制御部２６は、所定時間経過したか否かを判定する。所定時間経過していない場合（ＮＯ）、ステップＳ６３に移行する。つまり、所定時間経過するまで、ステップＳ６３を繰り返し実行する。所定時間は、平滑用キャパシタＣ１の容量値とそれらに供給する電流量に応じて設定される。
【００８２】
所定時間経過する（ＹＥＳ）と、ステップＳ６４において、制御部２６は、リレーＲＬ１をＯＮし、リレーＲＬ２をＯＮする。このとき、図２に示す平滑用キャパシタＣ１の電極間電圧は、直流電圧バス１７の直流電圧とほぼ等しい、従って、平滑用キャパシタＣ１やＤＣ−ＤＣコンバータ２３に対して、突入電流は流れない。
【００８３】
以上により、制御部２６は、各リレーの溶着を判定した後、蓄電装置１８を直流電圧バス１７に接続する。
（作用）
次に、本実施形態の作用を説明する。
【００８４】
蓄電装置１８は、蓄電池２５の出力電圧を、直流電圧バス１７に対して出力する。そして、蓄電装置１８は、スイッチ回路２１の開閉により、直流電圧バス１７に対する直流電圧の出力を制御する。従って、蓄電池２５とＤＣ−ＤＣコンバータ２３は、直流電圧バス１７に対して直流電圧を出力する直流電源として機能する。蓄電装置１８は、その直流電源の出力電圧を、スイッチ回路２１の開閉制御により、直流電圧バス１７に供給する。
【００８５】
スイッチ回路２２は、直列接続した２つのリレーＲＬ１，ＲＬ２を含む。機械式のリレー（電磁継電器）は、その構成上、接点が溶着して開成できない故障が発生する虞がある。ＤＣ−ＤＣコンバータ２３とスイッチ回路２１との間に１つのリレーを接続した場合、電磁継電器の接点溶着によって、ＤＣ−ＤＣコンバータ２３とスイッチ回路２１とが継続的に接続されてしまい、互いに切り離すことができない。２つのリレーＲＬ１，ＲＬ２が同時に接点溶着する確率は極めて小さい。従って、直列接続したリレーＲＬ１，ＲＬ２をＤＣ−ＤＣコンバータ２３とスイッチ回路２１との間に介在させることで、それらの間が継続的に接続されることを抑制する。
【００８６】
蓄電装置１８は、スイッチ回路２２のリレーＲＬ１，ＲＬ２の間の接続点Ｎ１と、蓄電池２５のマイナス側端子との間に設けられた電圧センサ３１と、平滑用キャパシタＣ１の両端子間に接続された電圧センサ３２とを有している。起動時において、平滑用キャパシタＣ１は、蓄電池２５の放電電流により充電される。リレーＲＬ１，ＲＬ２の少なくとも一方が溶着している場合、リレーＲＬ１とリレーＲＬ２の間の接続点Ｎ１の電圧値Ｖ１は、平滑用キャパシタＣ１の充電電圧（電圧値Ｖ２）に応じて上昇する。従って、電圧値Ｖ１が０の場合、リレーＲＬ１，ＲＬ２が溶着していないと判定できる。
【００８７】
制御部２６は、リレーＲＬ１，ＲＬ２のいずれか一方を閉成し、いずれか他方を開成する。そして、制御部２６は、電圧値Ｖ１と電圧値Ｖ２とを比較する。接続点Ｎ１は、リレーＲＬ１と電流制限抵抗Ｒ１とを介して平滑用キャパシタＣ１の高電位側の端子に接続される。従って、リレーＲＬ１のみが溶着しているときの電圧値Ｖ１と、リレーＲＬ２のみが溶着しているときの電圧値Ｖ１とは、互いに相違する。その比較結果に基づいて、リレーＲＬ１，ＲＬ２のそれぞれの溶着を判定できる。
【００８８】
以上記述したように、本実施形態によれば、以下の効果を奏する。
（１）蓄電装置１８は、直流電圧バス１７に接続されたスイッチ回路２１と、スイッチ回路２１及びＤＣ−ＤＣコンバータ２３の間に接続されたスイッチ回路２２とを有している。ＤＣ−ＤＣコンバータ２３とスイッチ回路２２との間には平滑用キャパシタＣ１が接続されている。スイッチ回路２２は、スイッチ回路２１とＤＣ−ＤＣコンバータ２３との間に直列に接続されたリレーＲＬ１，ＲＬ２と、そのリレーＲＬ１，ＲＬ２の直列回路に対して並列に接続された突入電流防止回路２２ａとを有している。リレーＲＬ１とリレーＲＬ２との間の接続点Ｎ１には電圧センサ３１が接続され、平滑用キャパシタの両端子間には電圧センサ３２が接続されている。制御部２６は、電圧センサ３１，３２により検出される電圧値Ｖ１，Ｖ２に基づいて、リレーＲＬ１，ＲＬ２の溶着を判定する。
【００８９】
リレーＲＬ１，ＲＬ２の少なくとも一方が溶着している場合、リレーＲＬ１とリレーＲＬ２の間の接続点Ｎ１の電圧値Ｖ１は、平滑用キャパシタＣ１の充電電圧（電圧値Ｖ２）に応じて上昇する。従って、電圧値Ｖ１が０の場合、リレーＲＬ１，ＲＬ２が溶着していないと判定できる。接続点Ｎ１は、リレーＲＬ２を介して平滑用キャパシタＣ１の高電位側の端子に接続される。また、接続点Ｎ１は、リレーＲＬ１と電流制限抵抗Ｒ１とを介して平滑用キャパシタＣ１の高電位側の端子に接続される。従って、リレーＲＬ１のみが溶着しているときの電圧値Ｖ１と、リレーＲＬ２のみが溶着しているときの電圧値Ｖ１とは、互いに相違する。従って、電圧値Ｖ１，Ｖ２によりリレーＲＬ１とリレーＲＬ２のそれぞれの溶着を判定できる。
【００９０】
（２）スイッチ回路２２は、直列接続した２つのリレーＲＬ１，ＲＬ２を含む。機械式のリレー（電磁継電器）は、その構成上、接点が溶着して開成できない故障が発生する虞がある。ＤＣ−ＤＣコンバータ２３とスイッチ回路２１との間に１つのリレーを接続した場合、電磁継電器の接点溶着によって、ＤＣ−ＤＣコンバータ２３とスイッチ回路２１とが継続的に接続されてしまい、互いに切り離すことができない。２つのリレーＲＬ１，ＲＬ２が同時に接点溶着する確率は極めて小さい。従って、直列接続したリレーＲＬ１，ＲＬ２をＤＣ−ＤＣコンバータ２３とスイッチ回路２１との間に介在させることで、それらの間が継続的に接続されることを抑制する。
【００９１】
尚、上記各実施形態は、以下の態様で実施してもよい。
・上記実施形態に対し、連系保護用のスイッチ回路２２に含まれる突入電流防止回路２２ａを適宜変更してもよい。
【００９２】
図７に示すように、電流制限抵抗Ｒ１に対してリレーＲＬ５を直列に接続した突入電流防止回路２２ｂとしてもよい。
・上記実施形態に対し、パワーコンディショナの構成等を適宜変更してもよい。
【００９３】
図８に示すように、パワーコンディショナ１ａ（リレー１４）に対して交流負荷４が直接接続されていてもよい。この構成によれば、太陽光パネル２の発電電力、蓄電池２５の放電電力により交流負荷４を運転する自立運転ができる。
【００９４】
図９に示すように、リレー１４，１９を有するパワーコンディショナ１ｂとしてもよい。この場合、商用電力系統５に連系して太陽光パネル２による発電電力により生成した交流電力を交流負荷４，６に供給できる。また、商用電力系統５が停電している場合、太陽光パネル２による発電電力、蓄電池２５の放電電力により交流負荷６に供給できる。
【００９５】
・上記実施形態において、発電装置として、太陽光パネル２に替えて、風力発電装置、ガス発電装置、地熱発電装置等を用いることができる。この場合、パワーコンディショナ１は、変換部としてＰＶコンバータ１１に替えて、上記発電装置に対応した変換部を有する。
【００９６】
・実施形態の制御部２６は、例えば、実施形態で説明した種々の制御を実現するように構成されたコンピュータ可読命令を格納した１つ以上のメモリと、そのコンピュータ可読命令を実行するように構成された１つ以上のプロセッサとを備えてもよい。また、実施形態の制御部２６は、特定用途向けＩＣ（ＡＳＩＣ）等の集積回路であってもよい。
【符号の説明】
【００９７】
１７…直流電圧バス（接続対象）、１８…蓄電装置、２５…蓄電池、２１…スイッチ回路（第１のスイッチ回路）、２２…スイッチ回路（第２のスイッチ回路）、２２ａ…第１の突入電流防止回路、２３…ＤＣ−ＤＣコンバータ、２４…スイッチ回路（第３のスイッチ回路）、２４ａ…第２の突入電流防止回路、２５…蓄電池、２６…制御部、ＲＬ１…リレー（第１のリレー）、ＲＬ２…リレー（第２のリレー）、ＲＬ３…リレー（第３のリレー）、ＲＬ４…リレー（第４のリレー）、Ｒ１…電流制限抵抗（第１の電流制限抵抗）、Ｒ２…電流制限抵抗（第２の電流制限抵抗）、３１…電圧センサ（第１の電圧検出部）、３２…電圧センサ（第２の電圧検出部）、３３…電圧センサ（第３の電圧検出部）、３４…電圧センサ（第４の電圧検出部）、Ｖ１…電圧値（第１の電圧値）、Ｖ２…電圧値（第２の電圧値）。
【図１】
2019077958.tif 000003
【図２】
2019077958.tif 000004
【図３】
2019077958.tif 000005
【図４】
2019077958.tif 000006
【図５】
2019077958.tif 000007
【図６】
2019077958.tif 000008
【図７】
2019077958.tif 000009
【図８】
2019077958.tif 000010
【図９】
2019077958.tif 000011
【手続補正書】
【提出日】令和2年4月13日(2020.4.13)
【手続補正１】
【補正対象書類名】特許請求の範囲
【補正対象項目名】請求項２
【補正方法】変更
【補正の内容】
【請求項２】
前記第１の突入電流防止回路は、前記直流電源側の前記第２のリレーの端子と前記第１のスイッチ回路側の前記第１のリレーの端子との間に接続された第１の電流制限抵抗を有する、請求項１に記載の電源装置。
【手続補正２】
【補正対象書類名】特許請求の範囲
【補正対象項目名】請求項３
【補正方法】変更
【補正の内容】
【請求項３】
前記第１の突入電流防止回路は、前記直流電源側の前記第２のリレーの端子と前記第１のスイッチ回路側の前記第１のリレーの端子との間に直列に接続された第１の電流制限抵抗及びリレーを有する、請求項１に記載の電源装置。
【手続補正３】
【補正対象書類名】明細書
【補正対象項目名】０００７
【補正方法】変更
【補正の内容】
【０００７】
上記の電源装置において、前記第１の突入電流防止回路は、前記直流電源側の前記第２のリレーの端子と前記第１のスイッチ回路側の前記第１のリレーの端子との間に接続された電流制限抵抗を有することが好ましい。
【手続補正４】
【補正対象書類名】明細書
【補正対象項目名】０００９
【補正方法】変更
【補正の内容】
【０００９】
上記の電源装置において、前記第１の突入電流防止回路は、前記直流電源側の前記第２のリレーの端子と前記第１のスイッチ回路側の前記第１のリレーの端子との間に直列に接続された第１の電流制限抵抗及びリレーを有することが好ましい。
【手続補正５】
【補正対象書類名】明細書
【補正対象項目名】００６５
【補正方法】変更
【補正の内容】
【００６５】
電圧値Ｖ３が所定電圧となったとき、リレーＲＬ３をＯＮし、リレーＲＬ４をＯＦＦする。電圧値Ｖ３が上昇すればリレーＲＬ３が正常に動作すると判定され、電圧値Ｖ３が変化しなければリレーＲＬ４が異常でＯＦＦしないと判定される。両リレーＲＬ３，ＲＬ４に溶着が生じていないと判定されると、スイッチ回路２４に対する溶着判定の処理を終了する。
【手続補正６】
【補正対象書類名】明細書
【補正対象項目名】００６７
【補正方法】変更
【補正の内容】
【００６７】
ステップＳ５１において、制御部２６は、図２に示すスイッチ回路２４のリレーＲＬ４をＯＮする。すると、ＯＮしたリレーＲＬ４を介して蓄電池２５の放電電流が、リレーＲＬ４を介して平滑用キャパシタＣ２に供給されるとともに、インダクタＬ１とトランジスタＴ２（ボディダイオード）を介して平滑用キャパシタＣ１に供給される。平滑用キャパシタＣ２，Ｃ１は、供給される電流により充電される。
【手続補正７】
【補正対象書類名】明細書
【補正対象項目名】００９７
【補正方法】変更
【補正の内容】
【００９７】
１７…直流電圧バス（接続対象）、１８…蓄電装置、２５…蓄電池、２１…スイッチ回路（第１のスイッチ回路）、２２…スイッチ回路（第２のスイッチ回路）、２２ａ…突入電流防止回路（第１の突入電流防止回路）、２３…ＤＣ−ＤＣコンバータ、２４…スイッチ回路（第３のスイッチ回路）、２４ａ…突入電流防止回路（第２の突入電流防止回路）、２５…蓄電池、２６…制御部、ＲＬ１…リレー（第１のリレー）、ＲＬ２…リレー（第２のリレー）、ＲＬ３…リレー（第３のリレー）、ＲＬ４…リレー（第４のリレー）、Ｒ１…電流制限抵抗（第１の電流制限抵抗）、Ｒ２…電流制限抵抗（第２の電流制限抵抗）、３１…電圧センサ（第１の電圧検出部）、３２…電圧センサ（第２の電圧検出部）、３３…電圧センサ（第３の電圧検出部）、３４…電圧センサ（第４の電圧検出部）、Ｖ１…電圧値（第１の電圧値）、Ｖ２…電圧値（第２の電圧値）。
【国際調査報告】
2019077958.tif 000012
2019077958.tif 000013